(57)【要約】【課題】画像をネットワーク上で公開したことをユーザ以外にも通知する。【解決手段】注文受付サーバへの画像のアップロードを行う場合、ディスプレイに表示されたサムネイル画像から画像を選択する。画像を選択すると、顔画像の特徴量を抽出する。また、通信コネクタに携帯電話機を接続すると、携帯電話機に記録されたアドレスデータが読み出され、アドレスデータに登録された顔画像データから、抽出された顔画像の特徴量と同一となる顔画像があるか照合する。抽出された特徴量と同一となる画像がある場合には、顔画像データと対応付けられた電子メールアドレスと、選択された画像データとを注文受付サーバに送信する。注文受付サーバでは、送信された画像データを用いたｗｅｂページを作成し、新規のｗｅｂページが作成されたことを示す通知メールを、受信した電子メールアドレス宛に送信する。【選択図】図２
2007156513.tif 000002
【特許請求の範囲】
【請求項１】
画像データのプリント注文を受け付けるプリント注文受付装置において、
画像データを取り込むデータ取り込み手段と、
取り込まれた画像データに対して画像処理を行う画像処理手段と、
画像処理された複数の画像データに基づく画像をネットワーク上に公開する指令をサーバに出力する公開指令手段と、
選択された画像がネットワーク上に公開されたことを示す電子メールを、指定された電子メールアドレスに送信する指令をサーバに出力する送信指令手段とを備えたことを特徴とするプリント注文受付装置。
【請求項２】
前記電子メールアドレスと、この電子メールアドレスを所有する人物の顔画像とが対応付けられたアドレスデータを取得するデータ取得手段と、
前記画像処理することで得られる画像から顔画像を抽出する顔画像抽出手段と、
前記顔画像抽出手段によって抽出された顔画像と、前記アドレスデータに登録された複数の顔画像とを照合する画像照合手段と、を備え、
前記送信指令手段は、前記抽出された顔画像と一致する顔画像が前記アドレスデータにある場合に、その顔画像に対応付けられた電子メールアドレスに対して前記電子メールを送信する指令をサーバに出力することを特徴とする請求項１記載のプリント注文受付装置。
【請求項３】
前記画像データ取り込み手段によって取り込まれる画像データは複数有り、
前記画像処理手段によって画像処理された画像データから得られるサムネイル画像を表示する表示手段と、
前記表示手段によって表示されたサムネイル画像から、いずれかの画像を選択する際に操作される選択操作手段と、を備え、
前記公開指令手段は、前記選択操作手段によって選択された画像を、前記ネットワーク上に公開する指令をサーバに出力することを特徴とする請求項１又は２記載のプリント注文受付装置。
【請求項４】
画像データの受付を行う画像データ受付手段と、
画像データ受付手段によって受け付けた画像データに対して画像処理を行う画像処理手段と、
画像処理を行うことで得られる画像をネットワーク上で公開する画像公開手段と、
前記画像がネットワーク上で公開されたことを示す通知メールを、指定された電子メールアドレスに送信するメール送信手段と、を備えたことを特徴とするネットワークフォトサービスシステム。
【請求項５】
前記電子メールアドレスと、この電子メールアドレスを所有する人物の顔画像とが対応付けられたアドレスデータを取得するデータ取得手段と、
前記画像処理することで得られる画像から顔画像を抽出する顔画像抽出手段と、
前記顔画像抽出手段によって抽出された顔画像と、前記アドレスデータに登録された複数の顔画像とを照合する画像照合手段と、
前記画像照合手段によって、抽出された顔画像と一致する顔画像がアドレスデータにある場合に、その顔画像に対応付けられた電子メールアドレスを取得するアドレス取得手段とを備えていることを特徴とする請求項４記載のネットワークフォトサービスシステム。
【請求項６】
前記画像データ受付手段によって受け付けられる画像データは複数有り、
画像処理された画像データに基づく画像を表示する表示手段と、
前記表示手段によって表示された複数の画像から、ネットワーク上で公開する画像を選択する選択手段と、を備えていることを特徴とする請求項４又は５記載のネットワークフォトサービスシステム。
【発明の詳細な説明】
【技術分野】
【０００１】
本発明は、画像データのプリント注文を受け付けるプリント注文受付装置及びネットワークフォトサービスシステムに関するものである。
【背景技術】
【０００２】
インターネット等のネットワーク回線を利用し、デジタルカメラ等により画像データとして記録された画像を、業者が管理するｗｅｂサーバにアップロードすることでｗｅｂアルバムとして公開することができるシステムが一般的に知られている。このようなｗｅｂアルバムの場合、インターネット等のネットワーク回線を備えている環境であれば閲覧することができるため便利である。
【０００３】
しかしながら、このようなｗｅｂアルバムの場合、ユーザにより撮影された画像は、撮影条件が適切でない画像が多く、ｗｅｂアルバムの画像としては見栄えが悪い画像となることが少なくない。例えば、このような画像に対しては、ｗｅｂサーバにアップロードする前に、専用の画像処理ソフトを使用してユーザが画像補正等を行うことが考えられるが、画像処理に対する知識や経験が必要であり、初心者にとっては非常に手間がかかる作業となる。
【０００４】
最近では、インターネット等のネットワーク回線を利用し、デジタルカメラ等により画像データとして記録された画像をプリント注文できるプリント注文システムが知られている（特許文献１等参照）。このようなプリント注文システムとして、プリント注文を受けた画像データを、サービス業者が管理するサーバにアップロードすることでネットワーク上に公開し、公開された画像をユーザ、或いは公開された画像を閲覧した人物からプリント注文を受けるシステムが提案されている（特許文献１、２等参照）。この場合、プリントサービス業者がユーザから提供された画像データに対して適切な画像処理を施した後に、サービス業者が管理するサーバにアップロードするため、公開された画像は見栄えの良い画像となる。
【特許文献１】特開２００３−２１６３５７号公報
【特許文献２】特開平１１−２０３３６０号公報
【発明の開示】
【発明が解決しようとする課題】
【０００５】
しかしながら、このようなネットワークを使用するプリント注文システムは、ユーザが自分で撮影した画像のプリントを注文するには便利であるが、参加人数の多い団体行事等のイベントで記念撮影をした場合には、例えば撮影された画像がネットワーク上で公開されていることはユーザ以外には通知されない場合が多く、ユーザ自身がイベント等に参加した参加者に通知する、或いは予めユーザ自身でプリント写真の焼き増しを行い、焼き増ししたプリント写真から参加者毎のプリント写真に振り分けた後、その振り分けたプリント写真を参加者にそれぞれ配布する必要があるため、ユーザにとっては面倒である。
【０００６】
本発明は、上記問題点を考慮してなされたもので、画像をネットワーク上で公開したことをユーザ以外にも通知することで、ユーザに対する負担を低減させることを目的とする。
【課題を解決するための手段】
【０００７】
本発明のプリント注文受付装置は、画像データのプリント注文を受け付けるプリント注文受付装置において、画像データを取り込むデータ取り込み手段と、取り込まれた画像データに対して画像処理を行う画像処理手段と、画像処理された複数の画像データに基づく画像をネットワーク上に公開する指令をサーバに出力する公開指令手段と、選択された画像がネットワーク上に公開されたことを示す電子メールを、指定された電子メールアドレスに送信する指令をサーバに出力する送信指令手段とを備えたことを特徴とする。
【０００８】
また、前記電子メールアドレスと、この電子メールアドレスを所有する人物の顔画像とが対応付けられて登録されたアドレスデータを取得するデータ取得手段と、前記画像処理することで得られる画像から顔画像を抽出する顔画像抽出手段と、前記顔画像抽出手段によって抽出された顔画像と、前記アドレスデータに登録された複数の顔画像とを照合する画像照合手段と、を備え、前記送信指令手段は、前記抽出された顔画像と一致する顔画像が前記アドレスデータにある場合に、その顔画像に対応付けられた電子メールアドレスに対して前記電子メールを送信する指令をサーバに出力することを特徴とする。
【０００９】
また、前記画像データ取り込み手段によって取り込まれる画像データは複数有り、前記画像処理手段によって画像処理された画像データから得られるサムネイル画像を表示する表示手段と、前記表示手段によって表示されたサムネイル画像から、いずれかの画像を選択する際に操作される選択操作手段と、を備え、前記公開指令手段は、前記選択操作手段によって選択された画像を、前記ネットワーク上に公開する指令をサーバに出力することを特徴とする。
【００１０】
また、本発明のネットワークフォトサービスシステムとしては、画像データの受付を行う画像データ受付手段と、画像データ受付手段によって受け付けた画像データに対して画像処理を行う画像処理手段と、画像処理を行うことで得られる画像をネットワーク上で公開する画像公開手段と、前記画像がネットワーク上で公開されたことを示す通知メールを、指定された電子メールアドレスに送信するメール送信手段と、を備えたことを特徴とする。
【００１１】
また、前記電子メールアドレスと、この電子メールアドレスを所有する人物の顔画像とが対応付けられて登録されたアドレスデータを取得するデータ取得手段と、前記画像処理することで得られる画像から顔画像を抽出する顔画像抽出手段と、前記顔画像抽出手段によって抽出された顔画像と、前記アドレスデータに登録された複数の顔画像とを照合する画像照合手段と、前記画像照合手段によって、抽出された顔画像と一致する顔画像がアドレスデータにある場合に、その顔画像に対応付けられた電子メールアドレスを取得するアドレス取得手段とを備えていることを特徴とする。
【００１２】
前記画像データ受付手段によって受け付けられる画像データは複数有り、画像処理された画像データに基づく画像を表示する表示手段と、前記表示手段によって表示された複数の画像から、ネットワーク上で公開する画像を選択する選択手段と、を備えていることを特徴とする。
【発明の効果】
【００１３】
本発明のプリント受付装置によれば、画像データのプリント注文を受け付けるプリント注文受付装置において、画像データを取り込むデータ取り込み手段と、取り込まれた画像データに対して画像処理を行う画像処理手段と、画像処理された複数の画像データに基づく画像をネットワーク上に公開する指令をサーバに出力する公開指令手段と、選択された画像がネットワーク上に公開されたことを示す電子メールを、指定された電子メールアドレスに送信する指令をサーバに出力する送信指令手段とを備えたから、画像をネットワーク上で公開したことをユーザ以外にも通知することで、ユーザに対する負担を低減させる。
【００１４】
また、前記電子メールアドレスと、この電子メールアドレスを所有する人物の顔画像とが対応付けられて登録されたアドレスデータを取得するデータ取得手段と、前記画像処理することで得られる画像から顔画像を抽出する顔画像抽出手段と、前記顔画像抽出手段によって抽出された顔画像と、前記アドレスデータに登録された複数の顔画像とを照合する画像照合手段と、を備え、前記送信指令手段は、前記抽出された顔画像と一致する顔画像が前記アドレスデータにある場合に、その顔画像に対応付けられた電子メールアドレスに対して前記電子メールを送信する指令をサーバに出力するから、アドレスデータとして画像の被写体となる人物が登録されていれば、ネット上で公開されたことを自動的に通知することができる。
【発明を実施するための最良の形態】
【００１５】
図１において、ネットワークフォトサービスシステム１０は、プリントサービス店１１に設置されるプリント注文受付装置１２、注文受付サーバ１３及び写真プリンタ１４と、個人ユーザが所有するパーソナルコンピュータ（以下、ＰＣと称する）１５ａ〜１５ｃとから構成される。なお、個人ユーザが所有するＰＣ１５ａ〜１５ｃと、注文受付サーバ１３とはインターネット１６により通信可能に接続されている。なお、本実施形態では、ＰＣの例を取り上げるが、これに限定する必要はなく、例えばインターネット通信機能を備えた携帯電話機や携帯型情報端末機であってもよい。
【００１６】
プリント注文受付装置１２は、顧客１７が持ち込んだ画像データのプリント注文を受け付ける他に、後述する注文用ｗｅｂページに画像をアップロードする際の登録を受け付けることが可能となっている。このプリント注文受付装置１２は、ＣＰＵ２０、データストレージデバイス２１、ディスプレイ２２、操作部２３、カードリーダ２４、通信コネクタ２５から構成されている。ＣＰＵ２０は、データストレージデバイス２１に記憶された注文受付プログラムを読み出して実行することにより、制御部３０、画像処理部３１、サムネイル画像作成部３２、顔画像抽出部３３、特徴量抽出部３４、画像照合部３５として機能する。制御部３０は、注文受付プログラムを実行することで、各部の処理を制御するために設けられている。この制御部３０は、サムネイル画像から画像が選択されると、該画像に基づく画像データを、ｗｅｂページを作成するページ作成指令とともに注文受付サーバ１３に送信する。また、制御部３０は、後述する画像照合部３５にて抽出された特徴量と一致する顔画像が取得されたアドレス帳データに登録された顔画像データにある場合に、その顔画像に対応付けられた電子メールアドレスデータを、メール作成指令とともに、注文受付サーバ１３に送信する。
【００１７】
画像処理部３１は、カードリーダ２４によって読み込まれた画像データに対して、例えば色味補正、階調補正、シャープネス補正等の補正処理を行うために設けられている。なお、画像処理部３１によって画像処理された画像データは、データストレージデバイス２１に記憶される。
【００１８】
サムネイル画像作成部３２は、画像処理部３１において画像処理された画像データに対して圧縮処理等の処理を行い、サムネイル画像を作成する。なお、作成されたサムネイル画像は、例えばマトリックス状に配置した状態でディスプレイ２２に表示される。また、サムネイル画像の基になるサムネイル画像データは、データストレージデバイス２１に記憶される。
【００１９】
顔画像抽出部３３は、データストレージデバイス２１に記憶された画像処理済みの画像データに基づく画像から、被写体の顔画像を抽出するために設けられている。なお、顔画像の抽出方法は周知であるため、ここでは詳細を省略するが、例えば画像データを用いて色解析することで、顔画像を抽出する。なお、この他に、顔パターンを複数用意しておき、これら顔パターン画像と、画像データに基づく画像とを照合することで、顔領域を抽出することも可能である。
【００２０】
特徴量抽出部３４は、顔画像抽出部３３によって抽出された顔画像データから、目、鼻、鼻孔、口、眉、顎、額等の顔を構成する器官を検出する。顔の器官の検出が行われた後、顔画像をグレースケールの画像に変換し、検出された顔の器官の位置関係に基づいて、検出された顔画像の角度正規化や、サイズ正規化を実施する。これら処理が行われた後、検出された顔の器官の位置に基づいた特徴点の位置が設定される。例えば、この特徴点の設定は、器官の中心位置に近いほど密に、器官の中心位置から離れるほど粗になるように設定される。この特徴点の設定の後、特徴量取得処理が実行される。特徴量取得処理は、設定された各特徴点に対して、例えばガボールウェーブレット変換を用いて行われる。このガボールウェーブレット変換を行うことで、特徴点周辺における濃淡特徴の周期性と方向性とが特徴量として抽出される。
【００２１】
画像照合部３５は、データストレージデバイス２１に記憶されたアドレス帳データを参照して、特徴量抽出部３４において抽出された特徴量と一致する顔画像データが存在するか否かを照合する。このアドレス帳データは、複数のアドレスデータから構成されており、これらアドレスデータは、人物の所有する電子メールアドレスデータと、該人物の顔画像データとが対応付けられたデータから構成されている。なお、特徴量抽出部３４によって抽出された特徴量と一致する顔画像データがアドレス帳データに存在する場合には、制御部３０は、該当する顔画像データと対応付けられた電子メールアドレスデータを注文受付サーバ１３に送信する。
【００２２】
ディスプレイ２２は、例えばプリント注文時の表示を行う他に、取り込まれた画像データを用いたサムネイル画像の表示を行う。操作部２３は、マウスやキーボードなどからなり、ＣＰＵ２０に対して操作コマンドを入力する他に、ディスプレイ２２にサムネイル画像が表示されたときに、ｗｅｂページへのアップロードを行う画像を選択する際に操作される。なお、ディスプレイ２２と操作部２３とを兼用するタッチパネル式のディスプレイを使用してもよい。
【００２３】
カードリーダ２４は、例えば画像データが記憶されたメモリカード４０をセットすることによって、メモリカード４０に記憶された画像データを読み出して、該画像データをデータストレージデバイス２１に書き込む。通信コネクタ２５は、例えば携帯電話機４１や、携帯型情報端末（ＰＤＡ）を電気的に接続するために設けられている。なお、この通信コネクタ２５を携帯電話機４１と接続すると、携帯電話機４１に記憶されたアドレス帳データが自動的に読み出され、データストレージデバイス２１に書き込まれる。
【００２４】
データストレージデバイス２１は、プリント注文プログラム等のプログラムや、カードリーダ２４によって読み取られた画像データ、或いは画像処理後の画像データが記憶される。この他に、通信コネクタ２５によって接続された携帯電話機４１や、携帯型情報端末から読み取られたアドレスデータが記憶される。
【００２５】
注文受付サーバ１３は、ページ作成指令がプリント注文受付装置１２から送信されたことを受けて、画像の閲覧とプリント写真の注文とを行うための注文用ｗｅｂページを作成する。この注文受付サーバ１３は、システムコントローラ４５、電子メール作成部４６、電子メール送信部４７、データ記憶部４８、データベース４９とから構成されている。システムコントローラ４５は、ＣＰＵ、ＲＯＭ、ＲＡＭを備えており、サーバ管理プログラムを実行することによって、外部のＰＣからのプリント注文の受付処理や、プリント注文受付装置１２からアップロードされる画像データの受付処理を行う他に、例えばＰＣからｗｅｂページに対する閲覧要求がある場合には、そのｗｅｂページを該当するＰＣにダウンロードする。なお、この注文受付サーバ１３には、アップロードされる画像データがデータベース４９に登録される他に、プリント注文受付装置１２から送信された電子メールアドレスデータがデータ記憶部４８に書き込まれる。
【００２６】
電子メール作成部４６は、メール作成指令がプリント注文受付装置１２から送信されたときに、プリント注文受付装置１２から送信された電子メールアドレスデータを使用してｗｅｂページが作成されたことを通知する電子メール（以下、通知メール）を作成する。データ記憶部４８には、例えば「注文用ｗｅｂページに画像がアップロードされました」等の定型文データが記憶されており、電子メール作成部４６は、データ記憶部４８に記憶された定型文データと、注文ｗｅｂページのｗｅｂアドレスデータとを組み合わせた内容の電子メールを作成する。なお、作成された電子メールは、電子メール送信部４７によって、図示しないメールサーバを介して送信される。
【００２７】
写真プリンタ１４は、プリントサービス店１１に設置され、専用のネットワーク回線を介して注文受付サーバ１３と接続される。写真プリンタ１４には、プリントの注文がなされた画像データが送信される。写真プリンタ１４は、送信された画像データに基づいて印画紙を露光する画像の焼付けと、印画紙の現像、水洗い、乾燥等の一連の作業を行い、プリント写真を作成する。
【００２８】
次に、本発明の作用について、図２に示すフローチャートに基づいて説明する。顧客１７がプリントサービス店１１に画像データが記録されたメモリカード４０を持ち込み、プリント注文受付装置１２のカードリーダ２４にメモリカード４０をセットすると、メモリカード４０に記録された画像データがカードリーダ２４によって読み出され、データストレージデバイス２１に書き込まれる。データストレージデバイス２１に書き込まれた画像データは、画像処理部３１によって画像補正処理が行われる。サムネイル画像作成部３２は、画像補正が行われた画像データに対して、圧縮処理等を施すことでサムネイル画像を作成する。この作成されたサムネイル画像の基となるサムネイル画像データはデータストレージデバイス２１に書き込まれる。
【００２９】
サムネイル画像が作成されると、ディスプレイ２２には、「プリント注文」、又は「ｗｅｂページに画像をアップロード」の選択項目が表示されるので、顧客１７は、そのいずれかを操作部２３を操作することで選択する。例えば、顧客１７が「プリント注文」を選択すると、ディスプレイ２２にサムネイル画像が例えばマトリクス状に表示されるので、顧客１７はサムネイル画像から、プリント注文を行う画像を選択する。プリント注文を行う画像が選択されると、選択された画像の基になる画像データが注文受付サーバ１３を介して写真プリンタ１４に送信され、写真プリンタ１４によってプリント出力される。なお、このプリント注文が行われた後には、ディスプレイ２２には「プリント注文」、又は「ｗｅｂページに画像をアップロード」の選択項目が表示される。
【００３０】
このプリント注文の後に、ｗｅｂページに画像をアップロードする場合には、上述した選択項目で、「ｗｅｂページに画像をアップロード」を選択する。この「ｗｅｂページに画像をアップロード」を選択すると、「プリント注文」を選択した場合と同様に、ディスプレイ２２にサムネイル画像が表示される。顧客１７は、サムネイル画像からｗｅｂページにアップロードする画像を、操作部２３を操作することによって選択する。アップロードする画像が選択されると、アドレス帳データの読み込む旨を示す表示がディスプレイ２２に行われるので、顧客１７は、携帯電話機４１等を通信コネクタ２５に接続する。携帯電話機４１を通信コネクタ２５に接続すると、携帯電話機４１からアドレス帳データが読み出され、このアドレス帳データがデータストレージデバイス２１に書き込まれる。
【００３１】
アドレス帳データがデータストレージデバイス２１に書き込まれた後、選択された画像データに対して人物の顔画像抽出処理、特徴量抽出処理が行われ、これら処理が行われることによって得られたデータがそれぞれ、データストレージデバイス２１に書き込まれる。これら処理の後、画像照合部３５において、抽出された特徴量と、アドレス帳データに登録された顔画像データから得られる顔画像との照合が行われる。この照合において、特徴量と一致する顔画像が存在する場合には、ディスプレイ２２に表示されたサムネイル画像から選択された画像に基づく画像データを、ページ作成指令とともに注文受付サーバ１３に出力する。同時に、一致した顔画像の基となる顔画像データと対応付けられた電子メールアドレスデータを、メール作成指令とともに注文受付サーバ１３に送信する。なお、選択された画像の被写体像が複数の人物からなる場合には、それら人物全てについてアドレス帳データに登録された顔画像データとの照合が行われる。また、選択された画像が複数となる場合には、全ての画像について上述した処理が行われる。なお、上述した照合で、一致する顔画像データが得られない場合には、ディスプレイ２２にて選択された画像の基になる画像データのみがページ作成指令とともに注文受付サーバ１３に送信される。
【００３２】
図３に示すように、注文受付サーバ１３に、ディスプレイ２２にて選択された画像データが、ページ作成指令とともに送信されると、注文受付サーバ１３のシステムコントローラ４５は、データベース４９に画像データを登録し、且つ送信された画像データを用いたサムネイル画像を作成した上で、新規のｗｅｂページを作成する。このときのサムネイル画像は、プリント注文受付装置１２で作成されるサムネイル画像と同一のものであっても良いし、例えばプリント注文受付装置１２で使用されるサムネイル画像よりも解像度を下げた画像であってもよい。また、注文受付サーバ１３には、電子メールアドレスデータとメール作成指令が送信されるので、電子メール作成部４６は、データ記憶部４８に記憶された定型文と、新規に作成されたｗｅｂページに割り当てられたｗｅｂアドレスとを組み合わせた内容を組み合わせることで電子メールを作成し、プリント注文受付装置１２から送信された電子メールアドレスデータを電子メールの送信先のアドレスデータとして使用する。この電子メールは電子メール送信部４７によって送信される。これにより、新たに作成されたｗｅｂページに用いられた画像の被写体となる人物が所有する電子メールアドレスに通知メールが送信されることになる。
【００３３】
自宅のＰＣで通信メールを受信した人物は、通知メールに書かれたｗｅｂアドレスに接続する。この接続により例えばＰＣ１５ａから注文受付サーバ１３に対してｗｅｂページ閲覧要求指令が送信されと、注文受付サーバ１３はＰＣ１５ａに対してｗｅｂページのデータをダウンロードする。これにより、ＰＣ１５ａの表示装置にｗｅｂページが表示される。なお、他のＰＣ１５ｂ、１５ｃを利用した場合も同様である。これにより、ｗｅｂページの画像を閲覧することができるので、閲覧者はｗｅｂページの画像を閲覧して、気に入った画像に対してプリント注文を指定する。これにより、プリント注文情報が、ＰＣ１５ａから注文受付サーバ１３に送信されるので、注文受付サーバ１３は、データベース４９に登録された画像データから、プリント注文された画像データを読み出して、写真プリンタ１４に送信する。これを受けて、写真プリンタ１４によってプリント写真が出力される。なお、プリント出力されたプリント写真は、例えば注文者の自宅に郵送する、或いは注文者がプリントサービス店に取りに行く等、適宜の方法で、取得することになる。
【００３４】
本実施例では、プリントサービス店などに設置されるプリント注文受付装置によってプリント注文、及び注文受付サーバに画像をアップロードする場合について説明したが、これに限定する必要はなく、例えば、顧客のＰＣからのプリント注文、及び注文受付サーバへの画像のアップロードを受け付けるようにしてもよい。この場合、注文受付サーバから、注文受付用のｗｅｂページをＰＣにダウンロードしながらプリント注文、或いは画像のアップロードを行う必要がある。
【００３５】
本実施形態では、プリント注文受付装置において、画像補正を行うようにしているが、これに限定する必要はなく、例えばプリント注文受付装置とは別に画像処理装置を設け、この画像処理装置によって画像データに対する画像補正等を行うようにしてもよい。
【図面の簡単な説明】
【００３６】
【図１】ネットワークフォトサービスシステムの概略を示す構成図である。
【図２】プリント注文、或いは画像のアップロードの手順を示すフローチャートである。
【図３】注文受付サーバと端末機の処理の流れの関係を示すフローチャートである。。
【符号の説明】
【００３７】
１０  ネットワークフォトサービスシステム
１１  プリントサービス店
１２  プリント注文受付装置
１３  注文受付サーバ
１４  写真プリンタ
１５ａ、１５ｂ、１５ｃ  パーソナルコンピュータ
１６  インターネット
２０  ＣＰＵ
３１  画像処理部
３２  サムネイル画像作成部
３３  顔画像抽出部
３４  特徴量抽出部
３５  画像照合部
４０  メモリカード
４１  携帯電話機
４５  システムコントローラ
４６  電子メール作成部
４７  電子メール送信部
４８  データ記憶部
４９  データベース
【図１】
2007156513.tif 000003
【図２】
2007156513.tif 000004
【図３】
2007156513.tif 000005